(57)【要約】【課題】  現場の振動を簡便に測定し、振動による損傷・故障を監視できる多機能のフィールド機器を低コストで提供する。【解決手段】  ケースに設けられたターミナルボードと、前記ケースに固定され、前記ターミナルボードに電気的に接続され、所定の信号変換を行うアンプユニットとを備えたフィールド機器において、前記ケース内部に取り付けられ、振動を測定する加速度センサと、前記加速度センサの出力に基づくアラームを生成する回路とを備えたことを特徴とするフィールド機器。【選択図】                    図１
2007071798.tif 000002
【特許請求の範囲】
【請求項１】
ケースに設けられたターミナルボードと、前記ケースに固定され、前記ターミナルボードに電気的に接続され、所定の信号変換を行うアンプユニットとを備えたフィールド機器において、
前記ケース内部に取り付けられ、振動を測定する加速度センサと、前記加速度センサの出力に基づくアラームを生成する回路とを備えたことを特徴とするフィールド機器。
【請求項２】
前記加速度センサは、前記アンプユニットに取り付けられ、
前記ケースと前記アンプユニットとの接続部に防振ゴムを備え、
前記ターミナルボードと前記アンプユニットとがケーブルを介して接続された
ことを特徴とする請求項１記載のフィールド機器。
【請求項３】
前記回路は、前記振動の振幅と、前記振動の回数と、前記振動の様式とを監視することを特徴とする請求項２記載のフィールド機器。
【請求項４】
請求項１記載のフィールド機器からなる流量計であって、
前記加速度センサが検出器のパイプ部分に取り付けられたことを特徴とする流量計。
【発明の詳細な説明】
【技術分野】
【０００１】
本発明は、プラント等に設置されるフィールド機器に関し、特に、配管（パイプ）における流量を測定する流量計に関する。
【背景技術】
【０００２】
図３は、従来のフィールド機器を示す構成断面図である（例えば、特許文献１参照）。
【０００３】
ターミナルボード１２は、ケース１１の内部に設けられ、ケース１１に固定される。そして、ターミナルボード１２は、外部の伝送線（図示せず）等を介して上位システム（図示せず）に接続される。
【０００４】
アンプユニット１３は、ケース１１に固定ネジ１４及び固定ネジ１５により一体に固定される。さらに、アンプユニット１３は、ターミナルボード１２にコネクタ１６を介して電気的に接続される。そして、アンプユニット１３は、所定の信号変換を行う電子回路を有するプリント基板を備える。
【０００５】
また、アンプユニット１３は、故障のときまたは点検のときに、ケース１１及びターミナルボード１２から取り外して作業することがある。
【０００６】
さらに、ケース１１（フィールド機器）は、フィールド現場の配管等に設置される。そして、ケース１１は、例えば、振動が大きいと思われる位置に設置される場合、人が作業困難な高い位置に設置される場合、高温下にさらされる位置に設置される場合がある。
【０００７】
近年、フィールド機器は、アプリケーションが拡大し、使用環境条件の拡大が要求されるようになった。そして、振動するような環境においてもフィールド機器を使用することが多くなった。
【０００８】
一方、振動に基づいて保守・点検を補助する装置がある（例えば、特許文献２及び特許文献３参照）。
【０００９】
【特許文献１】特開２００２−１１６０６８号公報
【特許文献２】特開平１０−９１４９号公報
【特許文献３】特開２００３−５７０９８号公報
【発明の開示】
【発明が解決しようとする課題】
【００１０】
フィールド機器を振動が大きいと思われる位置に設置する場合、作業者は、設置時に別途の振動計測器により１台ずつ確認する作業を実施し、多大な工数を要するという課題がある。また、フィールド機器の設置場所が悪環境の場合、振動計測器の使用が困難という課題がある。
【００１１】
さらに、フィールド機器の損傷が発生するという事例を経験しているが、その原因を確認することが困難という課題がある。また、フィールド機器は、低コストの要求があるという課題がある。
【００１２】
本発明の目的は、以上説明した課題を解決するものであり、現場の振動を簡便に測定し、振動による損傷・故障を監視できる多機能のフィールド機器を低コストで提供することにある。
【課題を解決するための手段】
【００１３】
このような目的を達成する本発明は、次の通りである。
（１）ケースに設けられたターミナルボードと、前記ケースに固定され、前記ターミナルボードに電気的に接続され、所定の信号変換を行うアンプユニットとを備えたフィールド機器において、前記ケース内部に取り付けられ、振動を測定する加速度センサと、前記加速度センサの出力に基づくアラームを生成する回路とを備えたことを特徴とするフィールド機器。
（２）前記加速度センサは、前記アンプユニットに取り付けられ、前記ケースと前記アンプユニットとの接続部に防振ゴムを備え、前記ターミナルボードと前記アンプユニットとがケーブルを介して接続されたことを特徴とする（１）記載のフィールド機器。
（３）前記回路は、前記振動の振幅と、前記振動の回数と、前記振動の様式とを監視することを特徴とする（２）記載のフィールド機器。
（４）請求項１記載のフィールド機器からなる流量計であって、前記加速度センサが検出器のパイプ部分に取り付けられたことを特徴とする流量計。
【発明の効果】
【００１４】
本発明によれば次のような効果がある。
本発明によれば、現場の振動を簡便に測定し、振動による損傷・故障を監視できる多機能のフィールド機器を低コストで提供できる。
【００１５】
また、本発明によれば、フィールド機器内の防振ゴムの寿命を監視できる。さらにまた、本発明によれば、配管の振動による劣化を監視できる。
【００１６】
さらに、加速度センサはフィールド機器に一体となっているため、計装のコストが小さい。
【発明を実施するための最良の形態】
【００１７】
以下に図１に基づいて本発明を詳細に説明する。図１は、本発明の一実施例を示す構成図である。図３の従来例と同一の要素には同一符号を付し、説明を省略する。
【００１８】
図１の実施例の特徴は、加速度センサ２１に係る構成にある。
【００１９】
加速度センサ２１は、ケース１１の内部に取り付けられる。具体的には、３軸方向の振動を測定する加速度センサ２１をアンプユニット１３上に取り付ける。そして、加速度センサ２１は、アンプユニット１３から電力が供給される。
【００２０】
また、アンプユニット１３は、加速度センサ２１の出力と所定の値とを比較しアラームを生成する回路（図示せず）とを備える。具体的には、この回路と所定の信号変換を行う回路（図示せず）とを共通のマイクロプロセッサ（図示せず）及びメモリ（図示せず）からなるハードウエアで構成する。
【００２１】
さらに、ケース１１とアンプユニット１３との接続部に防振ゴム２３及び防振ゴム２４を備える。また、ターミナルボード１２とアンプユニット１３とがケーブル２２を介して電気的に接続される。このことにより、アンプユニット１３は、振動に対して、故障しにくい特性となる。
【００２２】
このような図１の実施例の動作を説明する。
【００２３】
まず、加速度センサ２１は、振動加速度を電気信号として検出する。
【００２４】
次に、アンプユニット１３の内部において、この電気信号を振動加速度のデータに変換する。
【００２５】
その次に、この振動加速度のデータをフィールド機器の表示器（図示せず）に表示するとともに、内部のメモリに格納する。
【００２６】
その次に、このメモリに格納したデータと基準データ（図示せず）とを比較する。
【００２７】
最後に、このデータ（振動）の振幅が所定の値よりも大きいときは、現場の配管が異常に振動していると判断し、その旨をターミナルボード１２及び伝送線等を介して上位システムに通知する。
【００２８】
また、このデータ（振動）の回数が所定の値よりも大きいときは、現場の配管が異常に振動していると判断し、その旨を表示器に表示すると共に、ターミナルボード１２及び伝送線等を介して上位システムに通知する。
【００２９】
さらに、このデータ（振動）のモード（様式）、具体的には、データの加速度またはデータの周波数が大きく変化したときは防振ゴム２３及び防振ゴム２４が劣化したと判断し、その旨をターミナルボード１２及び伝送線等を介して上位システムに通知する。
【００３０】
以下に図２に基づいて本発明を詳細に説明する。図２は、本発明の他の実施例を示す構成図である。また、図２は電磁流量計の断面を示す図である。
【００３１】
図２の実施例の特徴は、加速度センサ２１が検出器のパイプ部分に取り付けられた点にある。
【００３２】
また、図２の実施例において、加速度センサ２１の配置以外の構成は、図１の実施例と同様となる。
【００３３】
このような図２の実施例は、パイプの振動を直接測定できるため、プラントの異常をいち早く発見し、通報できる。
【００３４】
本発明は、上述の実施例に限定されることなく、その本質を逸脱しない範囲でさらに多くの変更及び変形を含むものである。
【図面の簡単な説明】
【００３５】
【図１】本発明の一実施例を示す構成断面図である。
【図２】本発明の他の実施例を示す構成断面図である。
【図３】従来のフィールド機器を示す構成断面図である。
【符号の説明】
【００３６】
１１  ケース
１２  ターミナルボード
１３  アンプユニット
１４，１５  固定ネジ
２１  加速度センサ
２２  ケーブル
２３，２４  防振ゴム
３１  パイプ
【図１】
2007071798.tif 000003
【図２】
2007071798.tif 000004
【図３】
2007071798.tif 000005